(57)【要約】【課題】格納状態に至る前の近傍において支柱部材を支持する従来の保持機構では、確実な操作が困難である。【解決手段】本発明では、上部横桟部材１ｕと下部横桟部材１ｄ間に、複数の支柱部材２を平行リンク機構を構成するように回動可能に連結して、支柱部材が起立した使用状態と、倒れた格納状態の間で操作可能に構成し、上記支柱部材を起立姿勢で保持する第１の保持機構５を設けると共に、下部横桟部材の上側には、上記格納状態に至る前の近傍において支柱部材を支持する第２の保持機構６を設け、この保持機構は、保持姿勢から非保持姿勢の間で回動可能に構成した保持片と、保持片を保持姿勢方向に付勢するばねと、保持片を非保持姿勢に係止する係止機構と、係止解除機構とから構成した折り畳み式サイドレールを提案する。【選択図】図４
2009118977.tif 000002
【特許請求の範囲】
【請求項１】
上部横桟部材と下部横桟部材間に、複数の支柱部材を平行リンク機構を構成するように回動可能に連結して、支柱部材が起立した使用状態と、倒れた格納状態の間で操作可能に構成し、いずれかの支柱部材の下部側に支持ピンを突設し、この支柱部材が倒れる側の下部横桟部材に、ストッパー片を回動可能に突設し、ばねにより回動下降する方向に付勢すると共に、ストッパー片には長手方向の案内溝を形成して上記支持ピンを係合し、上記案内溝の支柱部材側の端部にはばねの付勢に従う方向に第１の係合溝部を形成すると共に、上記案内溝の下部横桟部材側の端部には、ばねの付勢に従う方向の第２の係合溝部と、ばねの付勢に抗する方向の第３の係合溝部を構成し、第２の係合溝部から第１の係合溝部までの距離を、第３の係合溝部から第１の係合溝部までの距離よりも短く形成していることを特徴とする折り畳み式サイドレール。
【請求項２】
複数の支柱部材を、夫々に突設した連動腕と、連動腕間に連結する連動棒体により平行リンク機構を構成するように連結したことを特徴とする請求項１に記載の折り畳み式サイドレール。
【発明の詳細な説明】
【技術分野】
【０００１】
本発明は、ベッド等用の折り畳み式サイドレール、特に、上部横桟部材と下部横桟部材間に、複数の支柱部材を平行リンク機構を構成するように回動可能に連結した構成の折り畳み式サイドレールに関するものである。
【背景技術】
【０００２】
ベッドのサイドレールとしては各種のものが従来から提供されているが、このうち、上部横桟部材と下部横桟部材間に、複数の支柱部材を平行リンク機構を構成するように回動可能に連結し、上記支柱部材を起立姿勢で保持して使用状態とすると共に、支柱部材を倒して上部横桟部材を平行に下降して不使用時の格納状態とする折り畳み式サイドレールが広く使用されている。このような折り畳み式サイドレールでは、ベッドからの離床や介助等の邪魔にならないようにするため、不使用時の格納状態において、上部横桟部材の高さができるだけ低く維持されることが望まれる。このためには格納状態において重なる複数の支柱部材間の隙間が無いか、あるいはできるだけ小さくなるようにすれば良い。
【０００３】
しかしながらサイドレールを操作して格納状態にしようとした際に、操作者（使用者）や第三者が無意識に支柱部材間に指を入れていたり、また一度格納状態とした際に布団等の異物が挟まって隙間ができ、この隙間に指を入れている状態で、操作者（使用者）や第三者が上部横桟部材に荷重を加えると、支柱部材間に指を挟んでしまって非常に危険である。
【０００４】
このような危険性を無くすために、例えば特許文献１には、サイドレールが格納状態に至る前の近傍において支柱がそれ以上倒れるのを防ぐための保持片を下部横桟部材の上側に設け、この保持片は保持姿勢方向にばねによって付勢した構成が提案されている。
【０００５】
この構成では格納状態に至る前の近傍に支柱部材が倒れてくると、ばねによって保持姿勢に維持されている保持片に当接して支持され、この位置では、支柱部材間に所定幅の空間が形成されているため指が挟まれないというものである。
【０００６】
こうして支柱部材を一旦、この位置に保持した後、保持片をばねの付勢に抗して回動させて非保持姿勢に支持し、回動が可能となった状態で格納状態まで支柱部材を倒すことができるというものである。
【特許文献１】特許第２６９７７６５号公報
【発明の開示】
【発明が解決しようとする課題】
【０００７】
上記特許文献１に記載の保持片は、強度上、少なくとも２個所以上に設ける必要があるが、この場合には、一人で保持片を非保持姿勢に支持しながらサイドレールを下降操作するのは困難である。３個所以上であると一人で操作することは不可能となる。
本発明は、以上の課題を解決すると共に、格納状態に至る前の近傍において支柱部材を支持する保持機構と、支柱部材を起立状態、即ち使用状態に支持する保持機構を一体に構成することを目的とするものである。
【課題を解決するための手段】
【０００８】
上述した課題を解決するために、本発明では、上部横桟部材と下部横桟部材間に、複数の支柱部材を平行リンク機構を構成するように回動可能に連結して、支柱部材が起立した使用状態と、倒れた格納状態の間で操作可能に構成し、いずれかの支柱部材の下部側に支持ピンを突設し、この支柱部材が倒れる側の下部横桟部材に、ストッパー片を回動可能に突設し、ばねにより回動下降する方向に付勢すると共に、ストッパー片には長手方向の案内溝を形成して上記支持ピンを係合し、上記案内溝の支柱部材側の端部にはばねの付勢に従う方向に第１の係合溝部を形成すると共に、上記案内溝の下部横桟部材側の端部には、ばねの付勢に従う方向の第２の係合溝部と、ばねの付勢に抗する方向の第３の係合溝部を構成し、第２の係合溝部から第１の係合溝部までの距離を、第３の係合溝部から第１の係合溝部までの距離よりも短く形成している折り畳み式サイドレールを提案するものである。
【０００９】
また本発明では、上記の構成において、複数の支柱部材を、夫々に突設した連動腕と、連動腕間に連結する連動棒体により平行リンク機構を構成するように連結することを提案するものである。
【発明の効果】
【００１０】
請求項１の折り畳み式サイドレールにおいては、ストッパー片に形成した案内溝の端部に構成した第１、第２、及び第３の係合溝部を、支柱部材の起立状態、支柱部材の格納状態に至る前の近傍、及び格納状態の夫々における保持に対応させることができ、格納状態に至る前の近傍において支柱部材を支持する保持機構と、支柱部材を起立状態、即ち、使用状態に支持する保持機構を一体に構成することができる。
【００１１】
そして、請求項２に示すように、複数の支柱部材を、夫々に突設した連動腕と、連動腕間に連結する連動棒体により平行リンク機構を構成するように連結することにより、各支柱部材間の一体性を強化し、保持機構による起立状態の保持を安定に行うことができる。
【発明を実施するための最良の形態】
【００１２】
次に本発明の折り畳み式サイドレールの実施の形態を図１〜図６を参照して説明する。
次に図１〜図６は本発明を適用した折り畳み式サイドレールの実施の形態を示すもので、図２、図４及び図６は、夫々図１、図３及び図５の要部の拡大図である。
図１、図３及び図５において、符号１ｕは上部横桟部材、１ｄは下部横桟部材であり、これらの上部横桟部材１ｕと下部横桟部材１ｄ間に、複数の支柱部材２を、平行リンク機構を構成するように回動可能に連結している。この実施の形態では、共通の下部横桟部材１ｄに対して上部横桟部材１ｕは左右に分割しているが、一体に構成することもできる。
【００１３】
複数の支柱部材２の夫々の下端には連動腕３を突設しており、これらの連動腕３の先端を連動棒体４により平行リンク機構を構成するように連結している。このことから複数の支柱部材２は一体性が強化されている。
【００１４】
次に、いずれかの支柱部材２、この場合、図中左端の支柱部材２の下部側には支持ピン５を突設しており、この支柱部材２が倒れる側の下部横桟部材１ｄには、ストッパー片６を回動可能に突設している。このストッパー片６はばね７、この場合、捻りコイルばねにより回動下降する方向に付勢している。
【００１５】
そしてストッパー片６には長手方向の案内溝８を形成しており、この案内溝８に上記支持ピン５を係合している。そして、案内溝８の、支柱部材２側の端部にはばね７の付勢に従う方向、即ちばね７の付勢によりストッパー片６が回動する方向とは逆方向に第１の係合溝部９を形成すると共に、上記案内溝８の下部横桟部材１ｄ側の端部には、ばね７の付勢に従う方向の第２の係合溝部１０と、ばね７の付勢に抗する方向の第３の係合溝部１１を構成し、第２の係合溝部１０から第１の係合溝部９までの距離を、第３の係合溝部１１から第１の係合溝部９までの距離よりも短く形成している。
【００１６】
以上の構成において、図１、図２に示すように、支持ピン５が案内溝８の第１の係合溝部９に係合している状態では、支柱部材２は起立状態に保持され、従って折り畳み式サイドレールは使用状態に保持される。この係合は、ばね７の付勢方向に従っているので確実に維持される。尚、図に示すように、案内溝８の端部と第１の係合溝部９と間に凸部１２を形成しているので、更に確実に係合状態が維持される。
【００１７】
次に折り畳み式サイドレールを格納状態に移行させる場合には、ストッパー片６をばね７の付勢に抗して回動して案内溝８に至らせた後に、ストッパー片６から手を離し、上部横桟部材１ｕを支持して下降させると、支柱部材２が図中時計回りに回動下降して行く。この支柱部材２の回動下降と共に、支持ピン５の係合個所は、案内溝８の支柱部材２側の端部から下部横桟部材１ｄ側の端部に移動して行く。この際、ストッパー片６はばね７により図中反時計回りに付勢されているので、支持ピン５は案内溝８の図中上面側に圧接して移動する。従って終いには図３、図４に示すように、第２の係合溝部１０に係合する。この第２の係合溝部１０に係合した状態では、隣接した支柱部材２間には図４に示すように指が自由に入る空間が形成されているため、指を挟むことが無く安全である。
【００１８】
次いで折り畳み式サイドレールを完全に格納状態とするには、上部横桟部材１ｕを僅かに上昇させて支持ピン５を案内溝８に沿って少し移動させ、次いでストッパー片６をばね７の付勢に抗して図中時計回りに回動し、この状態で上部横桟部材１ｕを下げる。これにより支持ピン５が第３の係合溝部１１方向に移動して、支柱部材２が更に倒れ、完全な格納状態へと移行することができる。
【００１９】
図に示すように、この実施の形態では、第２の係合溝部１０と第３の係合溝部１１と間に凸部１３を形成しているので、第２の係合溝部１０における係合状態が確実に維持される。
【００２０】
格納状態の折り畳み式サイドレールを使用状態とする際には、上部横桟部材１ｕを単に持ち上げると、支持ピン５は、第３の係合溝部１１から案内溝８に移動して、この案内溝８を移動するため、支柱部材２は阻害されずに回動上昇する。そして、支柱部材２が起立状態となった時点で、支持ピン５は、ばね７の付勢により第１の係合溝部９に移動して、上述したように保持される。
【産業上の利用可能性】
【００２１】
本発明の折り畳み式サイドレールは以上の通りであるので、格納状態に至る前の近傍において支柱部材を保持機構により確実に保持できると共に、その解除操作を容易に、確実に行えるという利点がある。
【００２２】
また本発明の折り畳み式サイドレールでは、支柱部材を起立状態、即ち使用状態に支持する保持機構を一体に構成することができるという利点がある。
【００２３】
本発明の折り畳み式サイドレールは、医療用のベッドばかりでなく、家庭用の介護ベッドや、一般のベッドにも利用できるものである。
【図面の簡単な説明】
【００２４】
【図１】本発明の折り畳み式サイドレールの実施の形態を使用状態において示す説明図である。
【図２】図１の要部拡大図である。
【図３】本発明の折り畳み式サイドレールの実施の形態を格納状態の近傍の状態において示す説明図である。
【図４】図３の要部拡大図である。
【図５】本発明の折り畳み式サイドレールの実施の形態を格納状態において示す説明図である。
【図６】図５の要部拡大図である。
【符号の説明】
【００２５】
１ｕ              上部横桟部材
１ｄ              下部横桟部材
２                支柱部材
３                連動腕
４                連動棒体
５                支持ピン
６                ストッパー片
７                ばね（捻りコイルばね）
８                案内溝
９                第１の係合溝部
１０              第２の係合溝部
１１              第３の係合溝部
１２、１３        凸部
【図１】
2009118977.tif 000003
【図２】
2009118977.tif 000004
【図３】
2009118977.tif 000005
【図４】
2009118977.tif 000006
【図５】
2009118977.tif 000007
【図６】
2009118977.tif 000008